(57)【要約】【課題】部品点数が少なくて済み、配線を挿通する場合および挿通しない場合の両方に対応することが可能な二重床における防火構造を提供。【解決手段】区画壁28は、二重床内部に配置される配線34が挿通可能な開口凹部36を２個有する。配線34が挿通された開口凹部36および配線34は、防火パテ材で覆う。配線34が挿通されていない開口凹部36は、塞ぎ部材で塞がれており、ノックアウト部30を構成する。このような区画壁28により二重床内部を複数のエリアに区画する。【選択図】図６
2007284991.tif 000002
【特許請求の範囲】
【請求項１】
二重床内部に配置される配線が挿通可能な挿通部を少なくとも１つ有する区画壁と、該配線が挿通されていない挿通部を塞ぐ塞ぎ部材とを含み、前記区画壁により二重床内部を複数の領域に区画することを特徴とする二重床における防火構造。
【請求項２】
請求項１に記載の防火構造において、該構造は、前記配線が挿通された挿通部および該配線を覆う防火材を含むことを特徴とする防火構造。
【請求項３】
二重床内部に配置される配線が挿通する挿通部を少なくとも１つ有する区画壁と、該挿通部および該配線を覆う防火材とからなり、前記区画壁により二重床内部を複数の領域に区画することを特徴とする二重床における防火構造。
【請求項４】
床を構成する複数の部材と、該部材間にある配線用空間を被覆するカバーとを含む二重床における防火構造において、該構造は、
前記配線用空間に配置された係止部と、該係止部に係止されるとともに該配線用空間を複数の領域に区画する区画壁とを含むことを特徴とする防火構造。
【請求項５】
請求項４に記載の防火構造において、前記部材は、床を構成するブロックであり、前記配線用空間は、該ブロック間に形成された配線溝であることを特徴とする防火構造。
【請求項６】
請求項４または５に記載の防火構造において、前記区画壁の上端部は、隣接する２つの前記カバー間にあり、かつ該カバーと同一平面上に位置することを特徴とする防火構造。
【請求項７】
支持部と、該支持部により支持される床構成部材とを含み、該支持部と該床構成部材により形成される二重床における防火構造において、
該構造は区画壁を含み、前記支持部は係止部を含み、該係止部に該区画壁は係止され、該区画壁により二重床内部を複数の領域に区画することを特徴とする防火構造。
【請求項８】
請求項７に記載の防火構造において、前記区画壁の上端部は、隣接する２つの前記床構成部材間にあり、かつ該床構成部材と同一平面上に位置することを特徴とする防火構造。
【請求項９】
請求項４から８までのいずれかに記載の防火構造において、前記区画壁は、該防火構造が設置された後に、該区画壁に配線を通すための挿通部を形成可能であることを特徴とする防火構造。
【請求項１０】
請求項４から８までのいずれかに記載の防火構造において、前記区画壁は、該区画壁に配線を通すための挿通部を含み、該挿通部に配線を挿通したときに、該区画壁によって区画される２つの領域のうちの少なくとも一方の領域側において、防火材により前記挿通部は被覆されることを特徴とする防火構造。
【請求項１１】
請求項４から８までのいずれかに記載の防火構造において、前記区画壁は、該区画壁に配線を通すための挿通部と、該挿通部に配線を挿通しないときに、該挿通部を塞ぐ塞ぎ部材とを含み、該挿通部においては、該塞ぎ部材により複数の領域に区画されることを特徴とする防火構造。
【請求項１２】
請求項４から11までのいずれかに記載の防火構造において、前記係止部は、前記区画壁を係止可能な係止溝であることを特徴とする防火構造。
【請求項１３】
請求項１から12までのいずれかに記載の防火構造において、該防火構造は、防火シャッタの下に配置されていることを特徴とする防火構造。
【発明の詳細な説明】
【技術分野】
【０００１】
本発明は、内部に配線空間が形成されている二重床に設けられる防火構造に関し、とくに防火シャッタを有する建造物において、防火シャッタの下にある二重床に好適な二重床における防火構造に関するものである。
【背景技術】
【０００２】
二重床内部における防火構造に関する公知技術としては、種々のものがある。特許文献１には、上床と下床からなる二重床における防火構造が開示されている。この防火構造では、壁が、二重床の下床から立設され、二重床の空間部に位置する壁の部分の一部が切り欠かれて、連通孔が形成されている。連通孔の中に少なくとも１個の門型スリーブ体が配設され、門型スリーブ体は、下床との間でトンネル部を形成している。長尺体が、門型スリーブ体のトンネル部に挿通される。長尺体と、トンネル部の上部内壁とにより形成される間隙部には、熱膨張性耐火材が配置され、門型スリーブ体の両端部におけるトンネル部と長尺体との間隙は、耐火パテにより密封される。このようにして、長尺体貫通部に防火構造を設ける。
【０００３】
また、特許文献２には、アクセスフロアにおけるケーブルの貫通部の防火構造が開示されている。ケーブルは、第１床と、第１床から所定間隔を設けて設置された第２床とで形成された空間内に、所定パターンで敷設されている。ケーブルの長手方向に沿う両側に、１対の第１固定具、および第１固定具と所定間隔で並設された１対の第２固定具が配置されている。第１固定具および第２固定具の嵌合溝がケーブルに対向している。第１固定具には、第１耐火仕切板が固定され、第２固定具には第２耐火仕切板が固定される。それぞれの耐火仕切板は、ケーブルを跨ぐトンネル部を有し、嵌合溝に、耐火仕切板の両端部を出入り自在に嵌合させる。第１、第２の耐火仕切板間のケーブルを気密に覆うように、耐火充填材が、第１、第２の耐火仕切板間に充填される。
【０００４】
また、特許文献３には、OAフロア内部の防火区画処理方法が開示されている。この方法は、間仕切り壁等の開口部建具付近におけるOAフロア内部に、防火区画を設けるための方法である。開口部建具付近におけるOAフロア内部の床上に区画材を設置し、区画材と床材の接合部に、ロックウール等の断熱・吸音・耐火被覆材を介在させる。
【特許文献１】登録実用新案第2540935号公報
【特許文献２】実公平3-21150号公報
【特許文献３】特開平11-299914号公報
【発明の開示】
【発明が解決しようとする課題】
【０００５】
上述のように、二重床における防火構造にはさまざまなものが存在するが、特許文献１の長尺体貫通部の防火構造の場合は、壁が二重床の上床を貫通し、下床まで達している。そのため、配線の挿通場所を追加する等の場合、壁自体に配線挿通用の孔を空ける必要があり、大がかりな作業が必要となり、配線挿通の融通性に欠けていた。また、壁が下床まで達していることから、上床を切断あるいは、壁から上床の施工をはじめる必要があり、施工の融通性にかけている。さらに、切断する場合は、壁際の上床をボーダー処理する必要があるため、通常の上床よりも高価で複雑な二重床構造が必要となってしまうという不具合がある。
【０００６】
また、特許文献２のアクセスフロアにおけるケーブルの貫通部の防火構造の場合は、第２床の下方の配線空間に、第１および第２固定具と、第１および第２耐火仕切板と、耐火充填材を設けているため、上記特許文献１のように上床を切断あるいは、壁からの施工を行う必要がなくなる点では優れている。しかし、部品点数が多く、施工性に問題があった。すなわち、第２床の下方において、墨だし等を行い、直線上に第１および第２固定具を配置する必要がある。さらには、ケーブルが配線される場所の処理については、記載があるが、ケーブルが配線されない場所の処理や、追加してケーブルを配線したい場合等の処理については、なんら記載されていない。
【０００７】
また、特許文献３のOAフロア内部の防火区画処理方法に関しては、床材の下方の配線空間において、区画材にて区画することから、上記特許文献１のように上床を切断あるいは、壁からの施工を行う必要がなくなる点では優れている。しかし、区画材の上方にロックウール等を充填しているため、踏圧等によりロックウール上面が押し付けられ、長期使用により、ロックウール上面と床材の下面との間に空間が形成されるおそれがあり、防火区画の意味をなさない可能性が高い。また、区画材を複数並設する場合、特許文献２と同様に、墨だし等を行う必要があり、施工性が悪いという不具合が生じていた。さらに区画材相互間の処理についても、なんら記載がされておらず、不明点、未解決点が多い。
【０００８】
本発明はこのような課題に鑑み、部品点数が少なくて済み、配線を挿通する場合および挿通しない場合の両方に対応することが可能な二重床における防火構造を提供することを目的とする。また、本発明の別の目的は、区画壁の敷設の際の墨だし等を不要とした二重床における防火構造を提供することである。
【課題を解決するための手段】
【０００９】
本発明は上述の課題を解決するために、二重床における防火構造において、二重床内部に配置される配線が挿通可能な挿通部を少なくとも１つ有する区画壁と、配線が挿通されていない挿通部を塞ぐ塞ぎ部材とを含み、区画壁により二重床内部を複数の領域に区画することを特徴とする。この防火構造において、配線が挿通されたときは、配線が挿通された挿通部および配線を覆う防火材を含む。
【００１０】
また、床を構成する複数の部材と、部材間にある配線用空間を被覆するカバーとを含む二重床における防火構造において、配線用空間に配置された係止部と、係止部に係止されるとともに配線用空間を複数の領域に区画する区画壁とを含むことを特徴とする。
【００１１】
さらに、支持部と、支持部により支持される床構成部材とを含み、支持部と床構成部材により形成される二重床における防火構造において、構造は区画壁を含み、支持部は係止部を含み、係止部に区画壁は係止され、区画壁により二重床内部を複数の領域に区画することを特徴とする。
【発明の効果】
【００１２】
本発明の二重床における防火構造によれば、配線を挿通する場合、挿通しない場合、挿通していない場所に後から挿通する場合のいずれの場合も考慮されている。さらに、すべての場合に安価に施工することができ、かつ変更も容易に行える。これらのことから、配線敷設性に優れており、オフィスなどのレイアウト変更なども容易に行うことが可能となる。
【００１３】
また、本発明の二重床における防火構造では、区画壁を配設する場合に、二重床を形成するために存在する部材に係止するだけでよいため、別途墨だし等により、位置決めのための直線を引く必要がなく、施工性に優れている。また、別途区画壁を取り付けるための取り付け部材を用意する必要もなく、安価となる。
【発明を実施するための最良の形態】
【００１４】
次に添付図面を参照して本発明による二重床における防火構造の実施例を詳細に説明する。具体的な実施形態について、以下説明するが、本発明は以下の実施形態に限定されるものではない。
【実施例１】
【００１５】
本発明による二重床における防火構造の実施例１は、図１および図２に示す置き敷き式の配線溝形成型の二重床に、本発明の防火構造を適用したものである。最初に、本発明が適用される二重床の構成について説明する。図１は、実施例１に係る二重床を構成する床下地材10およびカバー12、14の詳細な構成を示す斜視図である。図２は、配線空間を示すために、一部のカバー14を被覆していない状態の床下地材10およびカバー12、14を示す斜視図である。
【００１６】
本実施例の二重床は、図示しない基礎床の上に、井桁状の配線溝16を形成可能な床下地材10を複数個並設して敷設し、配線溝16上に平面視においてほぼ長方形の直線部カバー板14と、平面視においてほぼ十字形の交差部カバー板12を載置することにより、形成される。図1、2には、床下地材10を１個のみ示す。これを必要な数だけフロアに敷き詰める。
【００１７】
１個（１ユニット）の床下地材10は、次のように構成されている。複数のブロック18が、小間隙20を空けて並設して配設されて、集合を構成している。この集合をブロック群と呼ぶ。ブロック群を小間隙20よりも広い所定間隔だけ離間させて配線溝16を形成するように配置する。１個の床下地材10を構成する複数のブロック18は、薄肉の可撓性シート22、または図示しない樹脂等で、ブロック18の下部を相互に連結されている。小間隙20を設けることにより、基礎床面の不陸(凹凸)に追従可能とするとともに、床下地材10を切断可能としている。また、配線溝16に線材を敷設可能である。この床下地材10の複数個を、基礎床面に、配線溝16の位置を互いに一致させて敷設することにより、多数の井桁状に連続した配線溝16がフロア内に形成される。
【００１８】
配線溝16の上面開口を覆うカバー板12、14は、配線溝16の開口縁に設けた段部24に落とし込み式に嵌めることが可能であり、カバー板12、14の上面がブロック18の上面と面一になるように、ブロック18に段部24が形成されている。すなわち、本実施例では段部24の高さは、カバー板12、14の板厚と同じ高さとなっており、カバー板12、14を載置または嵌め込むことにより、カバー板12、14の上面とブロック18の上面とが同一平面となる。
【００１９】
床下地材10の詳細な構造を図３により説明する。図３は、図１のＡ-Ａ線に沿う床下地材10の拡大縦断面図であり、図3(a)、3(b)、3(c)は、それぞれ床下地材10の３通りの構成例を示す。図3(a)に示す床下地材10は、ブロック形成体18aを、合成樹脂等の可撓性を有するシート22の表面に接着剤等で一体的に固着したものである。ブロック形成体18aは、たとえば硬質の難燃性樹脂、もしくはモルタルやセメントにおがくずやパーライトなどを混入した軽量コンクリート等で所定の形状に成形したものである。
【００２０】
さらに、図3(b)の床下地材10は、シート22と同様な材料からなる別のシートにより凹部22aを形成して、凹部22a内に上記と同様のブロック形成体18aを充填したものである。また、図3(c)に示すように、図3(b)の床下地材10の凹部22aの開口面側にシート22を被覆してもよい。これらに限らず、全体を難燃性等の合成樹脂で一体に形成したもの等その他、各種構成のものが、床下地材10として使用できる。
【００２１】
図1、2に戻って、カバー板12、14は、厚さ１〜３mm程度の鋼板もしくはアルミニウム板、あるいは難燃性の硬質合成樹脂板等で形成されている。直線部カバー板14は、平面視においてほぼ長方形の平板であり、長手方向の両端辺に、配線を引き出すことが可能な半円弧状の凹部26が形成されている。また、交差部カバー板12は、平面視においてほぼ十字形の平板であり、十字形端辺に配線を引き出すことが可能な半円弧状の凹部26が形成されている。これらの凹部26は、突き合わされるカバー板の突合せ部分に設けられており、全体として円形の配線引出し口27が形成されている。
【００２２】
以上のように構成された二重床の内部に、図４から図７に示すような防火構造を設けることにより、隣接する２つのエリアが防火区画される。図４は、区画壁28を配置する前の状態の二重床と、区画壁28を示す斜視図である。図５は、配線が配置されていないときの防火構造を示す斜視図である。図６は、配線は配置されているが、防火構造が完成していない状態の区画壁28を示す斜視図である。図７は、配線が配置され、かつ防火構造が完成しているときの防火構造を示す斜視図である。
【００２３】
本実施例の防火構造を実現するための区画壁28は、図４に示すように、正面視においてほぼ長方形の板材からなり、その長さは、床下地材10の１ユニットの１辺とほぼ同一の長さである。厚さは、ブロック18相互間の小間隙20とほぼ同一か、わずかに薄く、高さは、ブロック18の高さとほぼ同一か、わずかに低い。
【００２４】
区画壁28の下端辺のうち、配線溝16に位置する下端辺には、大きく凹形に開口可能なノックアウト部30が２個形成されている。ノックアウト部30は、区画壁28からの切断が容易にできるように、その周囲が他の部分と比べて、たとえば薄く形成されている。ノックアウト部30は、区画壁28に嵌め込まれていてもよい。２個のノックアウト部30は、対応する２個の配線溝16に配線があるかどうかに応じて、開口させるかどうかが決まる。配線がない場合は、開口させず、配線がある場合は、開口させる。
【００２５】
区画壁28のほぼ中央には、容易に切断可能な切断可能部32が形成されており、本実施例では、切断可能部32には、楕円形の孔が上下に二つ設けられている。切断可能部32は、床下地材10のほぼ中央で、床下地材10が切断された場合を考慮して、設けられている。切断可能部32は、２個のノックアウト部30に対応する２個の配線溝16のうちの一方の配線溝16内の配線の有無が変更になることがあるということも考慮して設けられている。配線の有無が変更になった場合については、後述する。
【００２６】
なお、切断可能部32は、中央に１つ設けることに限定されず、床下地材10を切断する可能性がある小間隙20が存在する場所に対応して設けることが好ましい。これにより、防火構造の施工性が、より向上する。
【００２７】
以上のように構成された区画壁28は、２個のノックアウト部30に対応する２個の配線溝16に配線が存在しない場合は、図５に示すように配置される。すなわち、区画壁28のノックアウト部20が、区画壁28に残った状態で、床下地材10内にあらかじめ設けられた直線状の小間隙20内に区画壁28が配置されている。区画壁28は、ブロック18により係止または保持されている。区画壁28は、図４に示すように、配線溝16上に載置されるカバー板12、14の間に位置する。区画壁28の上端縁は、カバー板12、14の間に位置し、かつカバー板12、14の上面が、ブロック18の上面と同一の高さとなることが好ましい。この場合、確実に二重床内部を防火区画するとともに、歩行感の悪化を未然に防止することができる。
【００２８】
また、ノックアウト部30に対応する配線溝16に配線34が存在する場合は、図６に示すように、配線34が存在する側のノックアウト部30をハンマ等で落とし、開口凹部36を形成する。開口凹部36と、床下地材10のシート22上面に配線34を通すことができる。また、開口凹部36内の配線34および開口凹部36自体は、図７に示すように防火パテ材38等を充填または塗布することにより、区画壁28の両側にある２つのエリアを完全に区画することが可能となる。なお、防火パテ材38は、区画壁28の両側に設けると好適であるが、いずれか一方であってもよい。
【００２９】
以上、実施例１の二重床における防火構造を使用することにより、あらかじめ不陸に追従させるために設けられた、または／および切断可能なように設けられた小間隙に、構造が簡単な板状体からなる区画壁を配設するだけで、容易に防火区画することが可能となり、安価でかつ確実に防火処理を二重床に施すことが可能となる。また、配線の有無に応じて、別部材からなる異なる構造の区画壁を用意する必要もないため、コストダウンに繋がるという効果もある。
【００３０】
また、防火区画を設置した後に、配線の有無の切替が発生しても、容易に対応することが可能なため、さらなるコストダウンが可能となる。すなわち、配線が存在しなかった配線溝16に、あらたに配線34を配設する場合は、ノックアウト部30を落として開口凹部36を形成し、防火パテ材38等を充填すれば良い。
【００３１】
また、配線34が存在していた開口凹部36および配線溝16の配線34を取り除いた場合は、配線34が挿通されていた開口凹部36を防火パテ材38で埋めるだけでよい。あるいは、切断可能部32により分けられる区画壁28の２つの部分のうち、開口凹部36がある方の区画壁28を切断して、他方の区画壁28から分離して、床下地材10から取り出し、代わりに、ノックアウト部30がある新たな区画壁28を設置すればよい。
【００３２】
また、本実施例の防火構造を有する二重床構造は、防火構造以外の点では、防火構造を有さない通常の二重床構造と同一としているため、二重床構造自体としては、通常の二重床構造を使用することができる。したがって、防火区画場所の変更、追加などが容易である。さらに、二重床構造自体は、通常の二重床構造と、ほぼ同じであることから、歩行感や配線敷設量等に優れている。とくに、通常は他の場所の二重床と同様に配線用に使用される防火シャッタの下の二重床に、本実施例の防火構造を適用すると、従来技術が有する既述のような問題がないため、本実施例の効果は顕著に現れる。
【実施例２】
【００３３】
次に、実施例２の二重床における防火構造について、実施例１と異なる点についてその詳細を説明する。実施例２の二重床における防火構造は、図８に示すように、床下地材10は、実施例１と同様のものを使用し、区画壁28aと塞ぎ部材40は、実施例１とは異なるものを使用している。図８は、本発明の実施例２に係る区画壁28aおよび塞ぎ部材40を示し、さらにこれらを所定の位置に配置する前の床下地材10を示す斜視図である。
【００３４】
図9、10により、区画壁28および塞ぎ部材40の構成を説明する。図9(a)、9(b)、9(c)、9(d)、9(e)はそれぞれ、本実施例に使用する区画壁28aの平面図、正面図、底面図、斜視図および右側面図である。図10(a)、10(b)、10(c)、10(d)、10(e)はそれぞれ、本実施例に使用する塞ぎ部材の平面図、正面図、底面図、斜視図および右側面図である。
【００３５】
図9(b)に示すように区画壁28aは、正面視においてほぼ長方形の板材であり、実施例１とは開口凹部36aのみ異なる。実施例１のノックアウト部に対応する位置に、あらかじめ凹形からなる開口凹部36aが設けられている。また、開口凹部36aの下端部には、下端部が、後述する塞ぎ部材40の板厚分高くなるように、凹部42が形成されており、全体として凹部の形状が凸字形となるように構成されている。
【００３６】
この区画壁28aに配線を通す場合は、区画壁28aをそのまま、実施例１と同様に設置して使用し、防火パテ材を充填することにより、防火区画が達成される。また、区画壁28aに配線を通さない場合は、図10に示す塞ぎ部材40を使用する。塞ぎ部材40は、基面40aと、第１塞ぎ片40bと、第２塞ぎ片40cと、係止片40fからなる。
【００３７】
基面40aは、床下地材10に載置され、平面視においてほぼ長方形で、幅が、配線溝16の幅とほぼ同一か、わずかに狭い。第１塞ぎ片40bは、基面40aの長手方向の一方端から上方に、床下地材10のブロック18の上面よりも低く屈曲延設されている。第２塞ぎ片40cは、第１塞ぎ片40bより内方に、ほぼ同一形状で形成されている。第１塞ぎ片40bと第２塞ぎ片40cの間に、平面視において直線状である溝40dが形成されている。また、係止片40fは、基面40aの長手方向の他方端から上方に屈曲延設している部分であり、その上端近傍に、配線溝16の幅よりも幅広となるように、外方に膨出する膨出部40eが形成されている。塞ぎ部材40の断面は、ほぼコ字形またはＥ字形である。
【００３８】
膨出部40eは、防火区画する場所、すなわち区画壁28aが配置される小間隙20以外の小間隙20内に挿通されて、保持される。これにより膨出部40eは、係止されて位置決めされ、そのときに、第１塞ぎ片40bおよび第２塞ぎ片40cにより形成された溝40dは、防火区画すべき場所の小間隙20と同一直線上に位置する。すなわち、係止片40fと溝40dとの間の距離は、ブロック18により形成される小間隙20の隣接する２つの間の距離の整数倍（本実施例では３倍）である。
【００３９】
防火構造を床下地材10に施工する際は、この塞ぎ部材40を、図11に示すように、配線34を通さない配線溝16内に、最初に配置し、次に、図12に示すように、防火区画すべき小間隙20内、および、塞ぎ片40b、40cにより形成された溝内に区画壁を挿通する。これにより、配線を通さない場所の防火処理を容易に行うことが可能となる。ここで、図11は、図８の塞ぎ部材40を配置した床下地材10を示す斜視図である。図12は、図11の区画壁28aを配置した床下地材10を示す斜視図である。
【００４０】
なお、区画壁28a、塞ぎ部材40、ブロック18との関係を図13に詳細に示す。図13(a1)、13(a2)は、図８における床下地材10の平面図および断面図である。図13(b1)、13(b2)、13(b3)は、図11における床下地材10と、塞ぎ部材40の平面図および断面図である。図13(c1)、13(c2)は、図12における床下地材10と、区画壁28aと、塞ぎ部材40の平面図および断面図である。図13(a2)、13(b2)、13(c2)はそれぞれ、図13(a1)、13(b1)、13(c1)のA-A線に沿う拡大縦断面図である。図13(b3)は、図13(b1)のB-B線に沿う拡大縦断面図である。図13(a)、13(b)、13(c)の順に、防火構造の施工がなされる。
【００４１】
図13(b1)、13(b2)、13(b3)に示すように、塞ぎ部材40の基面40aは、配線溝16の幅とほぼ同一か、わずかに狭い。係止片40fから、第１および第２塞ぎ片40b、40cで形成された溝40dまでの距離は、ブロック18のほぼ３個分の距離である。係止片40fおよび第１、第２塞ぎ片40b、40cの高さは、すべて同じであり、ブロック18に形成された段部24の上面とほぼ同一の高さか、わずかに低い高さであり、かつ区画壁28aの開口凹部36aの上端よりも高い。
【００４２】
図13(c1)、13(c2)に示すように、区画壁28aは、その上端がブロック18の上面とほぼ同一面か、わずかに低く形成される。また、図14に示すように、開口凹部36aの下端の高さは、塞ぎ部材40の基面40aの板厚とほぼ同一か、わずかに高く、幅は、基面40aの幅と同一か、わずかに広く形成されている。これにより、凹部36a内に基面40aが収まり、区画壁28aの下端は、床下地材10に当接する。
【００４３】
実施例２の二重床における防火構造を使用することにより、実施例１と同様の効果を発揮するとともに、工具を一切使用しないで防火区画処理を施すことが可能となる。また、配線の有無の変更があっても、区画壁の交換は一切必要なく、塞ぎ部材の追加または撤去にて、変更に対応することが可能となり、より施工性を向上させることが可能となる。
【００４４】
また、塞ぎ部材が、配線溝内で位置決めされるとともに、塞ぎ部材の基面と区画壁の凹部により、区画壁の長手方向に区画壁自体が位置決めされることから、区画壁の移動を未然に防止することが可能となる。したがって、より確実に長期にわたって防火性能を維持することが可能となる。
【実施例３】
【００４５】
次に、本発明の実施例３の二重床における防火構造について、実施例１および実施例２と異なる部分の詳細を説明する。実施例３の二重床における防火構造が適用される床下地材50は、図15に示すように、複数の支持体52を連結片54により結合したものである。図15は、実施例３に係る床下地材およびカバー材を示す斜視図である。支持体52相互の間の空間を配線挿通空間とし、かつ支持体52の上面にカバー板56を載置することにより、二重床を形成する。
【００４６】
支持体52は、四角柱の四隅を切り落としたほぼ八角柱形状であり、上面が平面状に形成される。四角柱の４つの側面には、カバー板56を係止可能な係止溝または係止開口（以下、カバー板係止溝72と称す）が、図15、16に示すように、上端から下端近傍にわたって形成されている。図16は、支持体52とカバー板56の配置状態を示す一部拡大平面図である。また、溝のほぼ中央部には、後述する区画壁が係止可能な、より深い溝または開口（以下、区画壁係止溝74と称す）が形成されている。
【００４７】
複数の支持体52は規則正しく配列され、支持体52相互は支持体52下端において、可撓性を有する樹脂材等からなる連結片54により連結される。連結された状態で、１ユニットを形成しており、本床下地材50を複数敷設し、カバー板56を載置することにより二重床が形成される。
【００４８】
また、カバー板56は、平面視においてほぼ正方形であり、各辺のほぼ中央部分において、上端面から下方に屈曲延設された位置決め片58を有する。位置決め片58が支持体52のカバー板係止溝72に挿通することにより、カバー板56自体が係止保持される。
【００４９】
以上のように構成された二重床の内部に、図17から図19に示すように防火区画を設けることにより、隣接する複数のエリアが防火区画される。本実施例の防火区画を行うための区画壁60を図17に示す。図17は、区画壁60と塞ぎ部材62の構成、およびそれらの間の対応関係を示す斜視図である。区画壁60は、図17(a)に示すように、正面視においてほぼ長方形で、実施例２と同様にあらかじめ開口凹部64が形成されている。区画壁60を塞ぎ部材62と係合させるため、開口凹部64の下端が、塞ぎ部材62の板厚よりも上方に位置するように、開口凹部64の下端に凹部66を設けている。
【００５０】
区画壁60の幅は、図18に示すように、支持体52の対向する区画壁係止溝74相互間の距離と同一か、わずかに狭く形成されている。区画壁60の高さは、支持体52の上面とほぼ同一か、もしくは支持体52の上面にカバー板56の板厚を足した高さとほぼ同一か、それぞれよりもわずかに低くなるように形成されている。ここで、図18は、図15に示す二重床に防火区画処理を行う際の手順を示す斜視図である。防火区画処理の手順については、後述する。
【００５１】
図17に戻ると、本実施例の塞ぎ部材62は、図17(b)に示すように、断面がほぼＵ字形、もしくはコ字形であり、実施例２における第１および第２塞ぎ片40b、40cに対応する第１および第２塞ぎ片62a,62bのみからなる。Ｕ字形またはコ字形である溝62c内に、区画壁60を挿通することにより、図17(c)に示すように開口凹部64が塞がれる。区画壁60と塞ぎ部材62をあらかじめ組み合わせて、組立体68を作り、組立体68を区画壁係止溝74に挿入する。
【００５２】
防火区画処理の手順について図18により説明する。配線34を通さない場所では、塞ぎ部材62と区画壁60を組み立てた組立体68を、対向する２つの支持体52に設けられている区画壁係止溝74内に挿通することにより、区画壁60の両側にある２つのエリアを区画することができる。
【００５３】
配線34を通す場所では、区画壁60のみを、対向する２つの支持体52に設けられている区画壁係止溝74内に挿通する。開口凹部64に配線34を挿通した状態で、配線および開口凹部に防火パテ材70等を充填および被覆することにより、開口凹部64を塞ぐことができる。こうして、区画壁60の両側にある２つのエリアを区画することができる。二重床に防火区画処理が完成した状態を図19に示す。防火区画処理が完成後、図19に示すように、カバー材56を配置して、二重床が完成する。図19では、完成した防火区画処理の状態が見えるようにするために、カバー材56の一部を点線で示す。
【００５４】
実施例３の二重床における防火構造を採用することにより、実施例１および実施例２と同様の効果を達成できる。また、床下地材の種類が、実施例１と実施例３のように異なっても容易に、本発明を適用することが可能となる。実施例１および実施例３の床下地材は、一例であり、他の種類の床下地材にも、本発明を適用することができる。
【００５５】
以上、本発明の二重床における防火構造について説明したが、本発明は上記実施例に限定されるものではなく、以下のような拡張および変形が可能である。
【００５６】
本発明は、上記実施例に示した床構造以外に、本発明の範囲内ですべての二重床を形成する床構造に対して適用することが可能である。また、上記実施例１〜３で説明した各構成要素を単独で、あるいは組み合わせて用いることができる。
【００５７】
また、上記実施例１および実施例２に使用する区画壁および塞ぎ部材としては、既述のものに限られず、たとえば、図20に示すさまざまな構成のものが利用できる。図20(a1)は、区画壁の他の実施例の正面図、図20(a2)は、この区画壁に対応した床下地材の底面部の正面図、図20(b)は、さらに別の実施例である区画壁とブロックの係合状態を示す平面図、図20(c)は、塞ぎ部材の他の実施例の斜視図である。
【００５８】
図20(a1)、20(a2)の区画壁76および床下地材77の場合は、床下地材77の小間隙内において、床下地材77の底面78に凸部80を設け、この凸部80に対応する位置に区画壁76の凹部82を形成する。凹部82の位置、すなわち凸部80の位置は、図20(a1)、20(a2)に示すように、区画壁76の中央および両端、および開口凹部83の両端が好ましい。この場合、切断可能部85は、区画壁76の中央にある凹部82の両側に設けることが好ましい。
【００５９】
図20(b)の区画壁84の場合は、区画壁84の端部等に区画壁と直行する直交片86を設ける。区画壁84を配置する小間隙20aに直交する小間隙20bに、直交片86を配置する。これにより、図８に例示する塞ぎ部材40を用いずに、区画壁単独で使用する場合も、区画壁84自体の位置決めが可能であり、長期にわたって安定した防火処理区画を維持することが可能である。
【００６０】
図20(c)の塞ぎ部材88は、板材を切断して、折り曲げ加工を行って製作した２つの部材90、92を、接着または溶接したものである。この塞ぎ部材88は、板材の切断、折り曲げ加工、接着または溶接だけで製造することができるため、安価に製造することができる。
【００６１】
また、上記実施例では、図５、12、16に示すように、カバー板相互間に区画壁が存在するが、本発明は、これに限られるものではなく、カバー板の下方に区画壁が位置しても良い。たとえば、カバー板の下端に当接する高さを区画壁が有してもよい。あるいは図21(a)に示すように、カバー板94自体の裏面100に、あらかじめ補強用の下方へ突出する凸部96を二つ設け、この凸部96相互間に区画壁98の上端が位置しても良い。
【００６２】
なお、図21(a)は、カバー板94の裏面100と、カバー板94の取り付け方法を示す。図21(b)は、取り付け後のカバー板94と区画壁98と床下地材との関係を示す。図21では、区画壁98の開口凹部等は省略している。区画壁98は、図21(b)に示すように、床下地材の底面102と、カバー板94自体の裏面100との間に位置する。これらによれば、区画壁98の配置の自由度が増す。
【００６３】
以上の実施例では、区画壁や塞ぎ部材は、カバー板と別体であるとして説明したが、本発明はこれに限られるものではない。たとえば、図22に示すように、カバー板104の長手方向の少なくとも一端縁を下方に屈曲延設して、カバー板104と区画壁106を一体に形成してもよい。図22は、カバー板と区画壁を一体化させたものと、その取り付け方法を示す斜視図である。
【００６４】
なお、実施例３に示した区画壁係止溝は必ずしも必要ではなく、カバー板係止溝と同じ深さに設けてもよい。また、実施例１および実施例２に使用した床下地材10は、ブロック18の下端相互を可撓性シートにより連結しているが、本発明はこれに限られるものではない。たとえば、ブロックの上端を薄肉の樹脂材にて連結する、ブロック下端を実施例３のように薄肉の樹脂材にて連結する等が可能である。
【００６５】
また、実施例１および実施例２は、床下地材10の１ユニットの幅と同一幅の区画壁を使用し、１つの区画壁で、２つの配線溝の防火構造を達成する構成とした。これは、小間隙内でも防火区画を行うことができるようにするためであるが、本発明は、これらの実施例に限定されるものではなく、少なくとも１つの配線溝の防火構造を達成できればよい。たとえば１つの区画壁が、１つのノックアウト部を有することとしてもよい。
【００６６】
なお、床下地材およびカバー板のすべてが難燃性材料であれば、好ましいが、一部に可燃性の材料を使用してもよい。床下地材およびカバー板が継続して燃焼し、区画壁等を乗り越えて、他のエリアへ火が移動しなければよいからである。
【図面の簡単な説明】
【００６７】
【図１】本発明の実施例１に係る二重床を構成する床下地材およびカバーの詳細な構成を示す斜視図である。
【図２】配線空間を示すために、一部のカバーを被覆していない状態の床下地材およびカバーを示す斜視図である。
【図３】図１のＡ-Ａ線に沿う床下地材の拡大縦断面図である。
【図４】区画壁を配置する前の状態の二重床と、区画壁を示す斜視図である。
【図５】配線が配置されていないときの防火区画を示す斜視図である。
【図６】配線が配置されている状態の区画壁を示す斜視図である。
【図７】配線が配置されているときの防火区画を示す斜視図である。
【図８】本発明の実施例２に係る区画壁および塞ぎ部材、およびこれらを配置する前の床下地材を示す斜視図である。
【図９】本発明の実施例２に使用する区画壁の平面図、正面図、底面図、斜視図および右側面図である。
【図１０】本発明の実施例２に使用する塞ぎ部材の平面図、正面図、底面図、斜視図および右側面図である。
【図１１】図８の塞ぎ部材を配置した床下地材を示す斜視図である。
【図１２】図11の区画壁を配置した床下地材を示す斜視図である。
【図１３】ブロックと区画壁と塞ぎ部材の関係を示す平面図および断面図である。
【図１４】区画壁と塞ぎ部材の対応関係を示す斜視図である。
【図１５】実施例３に係る床下地材およびカバー材を示す斜視図である。
【図１６】支持体、カバー板、カバー板係止溝、区画壁係止溝の配置状態を示す一部拡大平面図である。
【図１７】区画壁と塞ぎ部材の構成、およびそれらの間の対応関係を示す斜視図である。
【図１８】図15に示す二重床に防火区画処理を行う際の手順を示す斜視図である。
【図１９】図15に示す二重床に防火区画処理を行った状態を示す斜視図である。
【図２０】(a1)は、区画壁の他の実施例の正面図、(a2)は、この区画壁に対応した床下地材の底面部の正面図、(b)は、さらに別の実施例である区画壁とブロックの係合状態を示す平面図、(c)は、塞ぎ部材の他の実施例の斜視図である。
【図２１】カバー板の下面を利用して防火区画をする際の説明図である。
【図２２】カバー板と区画壁を一体化させた例を示す斜視図である。
【符号の説明】
【００６８】
10  床下地材
12、14、94、104  カバー板
16  配線溝
18  ブロック
20  小間隙
28、28a、60、76、84、98、106  区画壁
30  ノックアウト部
34  配線
36、36a、64、83  開口凹部
38、70  防火パテ材
40、62、88  塞ぎ部材
【図１】
2007284991.tif 000003
【図２】
2007284991.tif 000004
【図３】
2007284991.tif 000005
【図４】
2007284991.tif 000006
【図５】
2007284991.tif 000007
【図６】
2007284991.tif 000008
【図７】
2007284991.tif 000009
【図８】
2007284991.tif 000010
【図９】
2007284991.tif 000011
【図１０】
2007284991.tif 000012
【図１１】
2007284991.tif 000013
【図１２】
2007284991.tif 000014
【図１３】
2007284991.tif 000015
【図１４】
2007284991.tif 000016
【図１５】
2007284991.tif 000017
【図１６】
2007284991.tif 000018
【図１７】
2007284991.tif 000019
【図１８】
2007284991.tif 000020
【図１９】
2007284991.tif 000021
【図２０】
2007284991.tif 000022
【図２１】
2007284991.tif 000023
【図２２】
2007284991.tif 000024